(57)【要約】【課題】取り付け不良などの不具合の発生が抑えられ、材料選択の自由度が高く、コストが抑えられる面押しボタン、面押しボタン装置及びこれらを備えた電子機器を提供すること。【解決手段】面押し部１１と、面押し部１１と接合されたスイッチ押圧部１２と、接合された面押し部１１及びスイッチ押圧部１２を、ヒンジを介して支持する支持部とを備え、スイッチ押圧部１２がヒンジ回りに回動することでスイッチを押圧する面押しボタンであって、面押し部１１は係合爪１１ａ、１１ｂを備え、スイッチ押圧部１２は係合孔１２ａ、１２ｂを備え、面押し部１１とスイッチ押圧部１２との接合は、係合爪１１ａ、１１ｂの係合孔１２ａ、１２ｂへの係止によってなされる。【選択図】図６
2007294329.tif 000002
【特許請求の範囲】
【請求項１】
貫通孔が形成された前面パネルと、
前記前面パネルの背面に取り付けられ、一部が前記貫通孔から露出し、スイッチを押圧する面押しボタンとを備えた電子機器であって、
前記面押しボタンは、
面押し部と、
前記面押し部と接合されたスイッチ押圧部と、
接合された前記面押し部及び前記スイッチ押圧部を、ヒンジを介して支持する支持部とを備え、
前記スイッチ押圧部が前記ヒンジ回りに回動することでスイッチを押圧する面押しボタンであって、
前記面押し部は、前記スイッチ押圧部との接合方向に係合爪を備え、
前記スイッチ押圧部は、前記面押し部との接合方向に係合孔を備え、
前記面押し部と前記スイッチ押圧部との接合は、前記係合爪が前記係合孔に係止されることによってなされることを特徴とする電子機器。
【請求項２】
面押し部と、
前記面押し部と接合されたスイッチ押圧部と、
接合された前記面押し部及び前記スイッチ押圧部を、ヒンジを介して支持する支持部とを備え、
前記スイッチ押圧部が前記ヒンジ回りに回動することでスイッチを押圧する面押しボタンであって、
前記面押し部は、前記スイッチ押圧部との接合方向に係合爪を備え、
前記スイッチ押圧部は、前記面押し部との接合方向に係合孔を備え、
前記面押し部と前記スイッチ押圧部との接合は、前記係合爪が前記係合孔に係止されることによってなされることを特徴とする面押しボタン。
【請求項３】
複数の面押し部と、
複数の前記面押し部のそれぞれと接合された複数のスイッチ押圧部と、
複数の接合された前記面押し部及び前記スイッチ押圧部のそれぞれを、対応するヒンジを介して支持する一体に形成された支持部とを備え、
前記スイッチ押圧部が、対応する前記ヒンジ回りに回動することで、対応するスイッチを押圧する面押しボタン装置であって、
前記面押し部は、前記スイッチ押圧部との接合方向に係合爪を備え、
前記スイッチ押圧部は、前記面押し部との接合方向に係合孔を備え、
前記面押し部と前記スイッチ押圧部との接合は、前記係合爪が前記係合孔に係止されることによってなされることを特徴とする面押しボタン装置。
【請求項４】
貫通孔が形成された前面パネルと、
前記前面パネルの背面に取り付けられ、一部が前記貫通孔から露出し、スイッチを押圧する面押しボタンとを備えた電子機器であって、
前記面押しボタンは請求項２に記載のものであることを特徴とする電子機器。
【請求項５】
貫通孔が形成された前面パネルと、
前記前面パネルの背面に取り付けられ、一部が前記貫通孔から露出し、スイッチを押圧する面押しボタン装置とを備えた電子機器であって、
前記面押しボタン装置は請求項３に記載のものであることを特徴とする電子機器。
【発明の詳細な説明】
【技術分野】
【０００１】
本発明は、面押しボタン、面押しボタン装置及びこれらを備えた電子機器に関する。
【背景技術】
【０００２】
電子機器などに備えられる押しボタンには、省スペース化、操作性の向上、位置ずれの防止、コストダウン、意匠性の向上、破損の防止などを目的とした様々な発明がなされてきており、その一例を特許文献１に見ることができる。
【０００３】
特許文献１に記載の発明は、テレビジョン受像機などの前枠のコントロールパネルに取り付けられるパワーボタンの位置決め構造に関するものであり、パワーボタンに設けられた２個の係合爪の上部に前方に突き出た突起を設け、パワーボタン上部をコントロールパネルに接触することにより、パワーボタンのコントロールパネルに対する上下方向の位置決めを行う構造を設けている。
【０００４】
特許文献１に記載の発明によると、簡単な形状で作業性がよく、コントロールパネルに対する上下方向の位置決めを確実に行うことができるパワーボタンの位置決め構造が提供される。
【０００５】
ところで、音響機器、映像機器などの電子機器においては、その本体前面に、ユーザーが各種動作指令を行うための面押しボタンを備えているものが多い。例えば、広く一般に普及しているＤＶＤレコーダにおいては、ＤＶＤレコーダ本体前面に再生、停止、早送り、巻き戻し、録画などの動作指令を行うための面押しボタンが備えられ、ユーザーがこの面押しボタンを押すことによって、再生、停止、早送り、巻き戻し、録画などの動作指令を行う構成となっているものが多い。
【０００６】
図７に従来の電子機器（ここではＤＶＤレコーダ）の断面図を示す。図７に示すＤＶＤレコーダにおいては、前面パネル９２の背面９２０に面押しボタン９１が取り付けられている。そして、面押しボタン９１は、その一部が前面パネル９２に形成された貫通孔９２１から露出する面押し部９１１と、スイッチ押圧部９１２と、支持部９１３と、ヒンジ９１４と、ボス孔９１５とを有している。
【０００７】
また、面押しボタン９１のスイッチ押圧部９１２の下方には基板９３が配置されており、基板９３上には、スイッチ９４が実装されている。なお、スイッチ９４とスイッチ押圧部９１２との間にはわずかな隙間が形成されている。
【０００８】
図７においては、面押し部９１１とスイッチ押圧部９１２とは、一体成型で作られている（つまり、面押し部９１１とスイッチ押圧部９１２とが一体化されたものが１つの金型で形成されている）。また、従来の面押しボタン９１においては、面押し部９１１とスイッチ押圧部９１２とは別部材であって、溶着することによって接合されている場合もある。
【０００９】
支持部９１３は、ヒンジ９１４を介してスイッチ押圧部９１２に連結され、面押し部９１１及びスイッチ押圧部９１２を片持ち支持する。また、支持部９１３は、前面パネル９２の背面９２０に形成されたボス９２２と嵌合するボス孔９１５を有している。そして、ボス孔９１５をボス９２２に外嵌し、ボス９２２の先端をボス孔９１５に溶着することで、面押しボタン９１は前面パネル９２に固定される。
【００１０】
面押しボタン９１は、面押し部９１１が押されることによってヒンジ９１４がたわみ、スイッチ押圧部９１２の端部が下方に沈む。スイッチ押圧部９１２の端部の沈み方向にはスイッチ９４が配置されており、スイッチ押圧部９１２が下方に沈むことでスイッチ９４がスイッチ押圧部９１２に押される。
【００１１】
また、図７に示す面押しボタン９１を電子機器（ここではＤＶＤレコーダ）の前面パネル９２に複数取り付ける必要がある場合には、図８に示すように、複数の面押しボタン９１の支持部９１３を一体化し、支持部９１６を形成する構成としたものが用いられることが多い。図８は、従来のＤＶＤレコーダにおいて、巻き戻しボタンと、再生（一時停止）ボタンと、停止ボタンと、早送りボタンとを前面パネル９２から取り外したときの正面図である。図８に示すように、巻き戻しボタンと、再生（一時停止）ボタンと、停止ボタンと、早送りボタンとは、支持部９１３が一体化され、支持部９１６を形成する構成とされている。本明細書においては、図８に示すように、複数の面押しボタン９１の支持部９１３を一体化し、支持部９１６を形成する構成としたものを面押しボタン装置と呼ぶこととする。
【００１２】
図８に示す面押しボタン装置は、支持部９１６から前面パネル９２側に延び、前面パネル９２を押える傾き防止部９１７を有している。傾き防止部９１７は、前面パネル９２を押すことで面押しボタン９１をスイッチ押圧部９１２側に押して支持し、面押しボタン９１が面押し部９１１側に傾くのを防いでいる。
【００１３】
この面押しボタンについても、様々な発明がなされてきており、その一例を特許文献２に見ることができる。特許文献２に記載の発明は、スイッチ押圧部のＬ字状底板の上端部に、前面パネル側に延びる、スイッチ押圧部と一体に形成されたリブを有し、このリブが前面パネルの背面に接触することで、面押しボタンの前面への傾きを防止する面押しボタン及びこれを備えた電子機器に関するものである。
【００１４】
特許文献２に記載の発明によると、部材を追加することなく、面押しボタンの傾きを抑え、位置決め精度を上げることができ、製造効率の高い面押しボタン及びこれを備えた電子機器が提供される。
【特許文献１】特開平１１−１２０８６０号公報
【特許文献２】実用新案登録第３１１００１２号公報
【発明の開示】
【発明が解決しようとする課題】
【００１５】
ところで、図７に示す従来の面押しボタン９１においては、面押し部９１１とスイッチ押圧部９１２とは、一体成型で作られている（つまり、面押し部９１１とスイッチ押圧部９１２とが一体化されたものが１つの金型で形成されている）。また、従来の面押しボタン９１においては、面押し部９１１とスイッチ押圧部９１２とは別部材であって、溶着することによって接合されている場合もある。
【００１６】
しかしながら、面押し部９１１とスイッチ押圧部９１２とが一体成型で作られている場合には、製造工程の複雑化による不具合の発生頻度の向上、コストの増加が問題となる。また、面押し部９１１とスイッチ押圧部９１２とが一体成型で作られていることから、面押し部９１１及びスイッチ押圧部９１２の材料が同じものに限定され、材料選択の自由度が低いという問題もある。一方、面押し部９１１とスイッチ押圧部９１２とが別部材であって、溶着することによって接合されている場合には、溶着作業によるコストの増加、取り付け不良が問題となる。
【００１７】
また、面押し部９１１とスイッチ押圧部９１２とが一体成型で作られている場合にも、別部材であって、溶着することによって接合されている場合にも、面押し部９１１の破損などの不具合が生じると、面押しボタン９１全体の交換を行う必要がある。面押し部９１１は、外部に露出していること、ユーザーに直に触れられることより、破損などの不具合が発生しやすく、その場合に面押しボタン９１全体の交換が必要であることは、コスト面において問題があるといえる。
【００１８】
特に、図８に示す面押しボタン装置の構成とした場合、ある１つの面押し部９１１に不具合が生じただけで、面押しボタン装置全体を交換する必要があり、コスト面において大きな問題があるといえる。
【００１９】
上記の問題点を鑑みて、本発明においては、取り付け不良などの不具合の発生が抑えられ、材料選択の自由度が高く、コストが抑えられる面押しボタン、面押しボタン装置及びこれらを備えた電子機器を提供することを目的とする。
【課題を解決するための手段】
【００２０】
本発明においては、電子機器は、貫通孔が形成された前面パネルと、前記前面パネルの背面に取り付けられ、一部が前記貫通孔から露出し、スイッチを押圧する面押しボタンとを備えた電子機器であって、前記面押しボタンは、面押し部と、前記面押し部と接合されたスイッチ押圧部と、接合された前記面押し部及び前記スイッチ押圧部を、ヒンジを介して支持する支持部とを備え、前記スイッチ押圧部が前記ヒンジ回りに回動することでスイッチを押圧する面押しボタンであって、前記面押し部は、前記スイッチ押圧部との接合方向に係合爪を備え、前記スイッチ押圧部は、前記面押し部との接合方向に係合孔を備え、前記面押し部と前記スイッチ押圧部との接合は、前記係合爪が前記係合孔に係止されることによってなされることを特徴とする。
【００２１】
これによると、取り付け不良などの不具合の発生が抑えられ、材料選択の自由度が高く、コストが抑えられる面押しボタンを備えた電子機器が提供される。
【００２２】
本発明においては、面押しボタンは、面押し部と、前記面押し部と接合されたスイッチ押圧部と、接合された前記面押し部及び前記スイッチ押圧部を、ヒンジを介して支持する支持部とを備え、前記スイッチ押圧部が前記ヒンジ回りに回動することでスイッチを押圧する面押しボタンであって、前記面押し部は、前記スイッチ押圧部との接合方向に係合爪を備え、前記スイッチ押圧部は、前記面押し部との接合方向に係合孔を備え、前記面押し部と前記スイッチ押圧部との接合は、前記係合爪が前記係合孔に係止されることによってなされることを特徴とする。
【００２３】
これによると、本発明の面押しボタンにおいては、面押し部は、スイッチ押圧部との接合方向に係合爪を備え、スイッチ押圧部は、面押し部との接合方向に係合孔を備え、面押し部とスイッチ押圧部との接合は、係合爪が係合孔に係止されることによってなされる。そのため、係合爪を係合孔に係止するだけで面押し部とスイッチ押圧部とを接合できることから、溶着作業が不要となり、溶着作業によるコストの増加、取り付け不良の問題が解消される。また、面押し部とスイッチ押圧部とが一体成型で作られていないので、製造工程の複雑化による不具合の発生頻度の向上、コストの増加、材料選択の自由度の低下の問題も生じない。そして、面押し部の破損などが生じた場合にも、面押し部だけを交換すればよく、交換作業も新しい面押し部の係合爪をスイッチ押圧部の係合孔に係止するだけであることから容易であり、コスト面の問題もない。以上より、取り付け不良などの不具合の発生が抑えられ、材料選択の自由度が高く、コストが抑えられる面押しボタンが提供される。
【００２４】
本発明においては、面押しボタン装置は、複数の面押し部と、複数の前記面押し部のそれぞれと接合された複数のスイッチ押圧部と、複数の接合された前記面押し部及び前記スイッチ押圧部のそれぞれを、対応するヒンジを介して支持する一体に形成された支持部とを備え、前記スイッチ押圧部が、対応する前記ヒンジ回りに回動することで、対応するスイッチを押圧する面押しボタン装置であって、前記面押し部は、前記スイッチ押圧部との接合方向に係合爪を備え、前記スイッチ押圧部は、前記面押し部との接合方向に係合孔を備え、前記面押し部と前記スイッチ押圧部との接合は、前記係合爪が前記係合孔に係止されることによってなされることを特徴とする。
【００２５】
これによると、本発明の面押しボタン装置においては、複数の面押し部は、スイッチ押圧部との接合方向に係合爪を備え、複数のスイッチ押圧部は、面押し部との接合方向に係合孔を備え、面押し部とスイッチ押圧部との接合は、係合爪が係合孔に係止されることによってなされる。そのため、複数の面押し部の係合爪を、対応するスイッチ押圧部の係合孔に係止するだけで、複数の面押し部と対応するスイッチ押圧部とを接合できることから、溶着作業が不要となり、溶着作業によるコストの増加、取り付け不良の問題が解消される。また、面押し部とスイッチ押圧部とが一体成型で作られていないので、製造工程の複雑化による不具合の発生頻度の向上、コストの増加、材料選択の自由度の低下の問題も生じない。そして、ある１つの面押し部の破損などが生じた場合にも、その面押し部だけを交換すればよく、交換作業も新しい面押し部の係合爪を対応するスイッチ押圧部の係合孔に係止するだけであることから容易であり、面押しボタン装置全体の交換が必要であった従来と比べて、コスト面の問題が大きく改善される。以上より、取り付け不良などの不具合の発生が抑えられ、材料選択の自由度が高く、コストが抑えられる面押しボタン装置が提供される。
【００２６】
本発明においては、電子機器は、貫通孔が形成された前面パネルと、前記前面パネルの背面に取り付けられ、一部が前記貫通孔から露出し、スイッチを押圧する面押しボタンとを備えた電子機器であって、前記面押しボタンは上記構成のものであることを特徴とする。
【００２７】
これによると、本発明の電子機器においては、貫通孔が形成された前面パネルと、前面パネルの背面に取り付けられ、一部が貫通孔から露出し、スイッチを押圧する面押しボタンとを備えた電子機器であって、面押しボタンの面押し部は、スイッチ押圧部との接合方向に係合爪を備え、スイッチ押圧部は、面押し部との接合方向に係合孔を備え、面押し部とスイッチ押圧部との接合は、係合爪が係合孔に係止されることによってなされる。そのため、係合爪を係合孔に係止するだけで面押し部とスイッチ押圧部とを接合できることから、溶着作業が不要となり、溶着作業によるコストの増加、取り付け不良の問題が解消される。また、面押し部とスイッチ押圧部とが一体成型で作られていないので、製造工程の複雑化による不具合の発生頻度の向上、コストの増加、材料選択の自由度の低下の問題も生じない。そして、面押し部の破損などが生じた場合にも、面押し部だけを交換すればよく、交換作業も新しい面押し部の係合爪をスイッチ押圧部の係合孔に係止するだけであることから容易であり、コスト面の問題もない。以上より、取り付け不良などの不具合の発生が抑えられ、材料選択の自由度が高く、コストが抑えられる面押しボタンを備えた電子機器が提供される。
【００２８】
本発明においては、電子機器は、貫通孔が形成された前面パネルと、前記前面パネルの背面に取り付けられ、一部が前記貫通孔から露出し、スイッチを押圧する面押しボタン装置とを備えた電子機器であって、前記面押しボタン装置は上記構成のものであることを特徴とする。
【００２９】
これによると、本発明の電子機器においては、貫通孔が形成された前面パネルと、前面パネルの背面に取り付けられ、一部が貫通孔から露出し、スイッチを押圧する面押しボタン装置とを備えた電子機器であって、複数の面押し部は、スイッチ押圧部との接合方向に係合爪を備え、複数のスイッチ押圧部は、面押し部との接合方向に係合孔を備え、面押し部とスイッチ押圧部との接合は、係合爪が係合孔に係止されることによってなされる。そのため、複数の面押し部の係合爪を、対応するスイッチ押圧部の係合孔に係止するだけで、複数の面押し部と対応するスイッチ押圧部とを接合できることから、溶着作業が不要となり、溶着作業によるコストの増加、取り付け不良の問題が解消される。また、面押し部とスイッチ押圧部とが一体成型で作られていないので、製造工程の複雑化による不具合の発生頻度の向上、コストの増加、材料選択の自由度の低下の問題も生じない。そして、ある１つの面押し部の破損などが生じた場合にも、その面押し部だけを交換すればよく、交換作業も新しい面押し部の係合爪を対応するスイッチ押圧部の係合孔に係止するだけであることから容易であり、面押しボタン装置全体の交換が必要であった従来と比べて、コスト面の問題が大きく改善される。以上より、取り付け不良などの不具合の発生が抑えられ、材料選択の自由度が高く、コストが抑えられる面押しボタン装置を備えた電子機器が提供される。
【発明の効果】
【００３０】
本発明によると、取り付け不良などの不具合の発生が抑えられ、材料選択の自由度が高く、コストが抑えられる面押しボタン、面押しボタン装置及びこれらを備えた電子機器が提供される。
【発明を実施するための最良の形態】
【００３１】
本発明の実施形態について、図面を用いて説明すれば以下の通りである。
【００３２】
図１は、本発明の実施形態に係るＤＶＤレコーダを示す正面図である。図１に示すＤＶＤレコーダは、電源ボタン１（１ｐ）と、ＤＶＤ挿入部Ｉｈと、ＤＶＤ挿入部Ｉｈを開閉するためのＤＶＤ挿入部開閉ボタン１（１ｅ）と、ＤＶＤレコーダの動作状態を示す情報表示窓Ｉｆと、巻き戻しボタン１（１ａ）と、再生（一時停止）ボタン１（１ｂ）と、停止ボタン１（１ｃ）と、早送りボタン１（１ｄ）と、前面パネル２とを有している。
【００３３】
ここで、電源ボタン１ｐと、ＤＶＤ挿入部開閉ボタン１ｅと、巻き戻しボタン１ａと、再生（一時停止）ボタン１ｂと、停止ボタン１ｃと、早送りボタン１ｄとは、面押しボタン１で形成されており、ユーザーに押圧されることによって、各ボタンに関連付けられた動作指令が行われる。
【００３４】
図２は、本発明の実施形態に係るＤＶＤレコーダを示す断面図である。図２に示すＤＶＤレコーダは、前面パネル２と、前記前面パネル２の背面２０に取り付けられた面押しボタン１と、基板３と、基板３上に実装されているスイッチ４とを有している。
【００３５】
面押しボタン１は、面押し部１１と、スイッチ押圧部１２と、支持部１３と、ヒンジ１４と、ボス孔１５とを有している。面押し部１１は、前面パネル２に形成された貫通孔２１から貫通することで、先端部がＤＶＤレコーダの外部に露出し、ユーザーによる押圧が行われるものである。
【００３６】
スイッチ押圧部１２は面押し部１１と接合され、面押し部１１と反対に延びる形状とされており、Ｌ字状の底板１２１と、底板１２１の中央に一体的に取り付けられた補強板１２２とを有している。そして、スイッチ押圧部１２によって、スイッチ押圧部１２の下方の基板３上に実装されたスイッチ４の押圧が行われる。なお、面押し部１１とスイッチ押圧部１２との接合方法の詳細及びスイッチ押圧部１２によるスイッチ４の押圧時の動作の詳細については後述する。
【００３７】
支持部１３は、前面パネル２の背面２０に形成されたボス２２に外嵌するボス孔１５を有し、ボス２２の先端を溶融しボス孔１５に溶着することで、前面パネル２の背面２０に固定される。また、支持部１３は、ヒンジ１４を介してスイッチ押圧部１２に連結され、面押し部１１及びスイッチ押圧部１２を片持ち支持する。なお、ヒンジ１４には不図示の貫通孔あるいは薄肉部が形成され、弾性力を調整している。
【００３８】
上記構成の面押しボタン１においては、前面パネル２の外側から、ユーザーによって面押し部１１が押圧されると、ヒンジ１４がたわみ、それによってスイッチ押圧部１２が傾き、スイッチ４がスイッチ押圧部１２の底板１２１によって押圧される。このとき、スイッチ押圧部１２の底板１２１が、スイッチ４を押圧したときにスイッチ４より受ける反力によって変形しないように、補強板１２２が取り付けられている。
【００３９】
図３は、本発明の実施形態に係るＤＶＤレコーダにおいて、巻き戻しボタン１ａと、再生（一時停止）ボタン１ｂと、停止ボタン１ｃと、早送りボタン１ｄとを前面パネル２から取り外したときの正面図である。図３に示すように、巻き戻しボタン１ａと、再生（一時停止）ボタン１ｂと、停止ボタン１ｃと、早送りボタン１ｄとは、支持部１３が一体化され、支持部１６を形成する構成とされている。つまり、巻き戻しボタン１ａと、再生（一時停止）ボタン１ｂと、停止ボタン１ｃと、早送りボタン１ｄとによって、面押しボタン装置が構成されている。
【００４０】
図３に示す面押しボタン装置においては、支持部１６から前面パネル２側に延び、前面パネル２を押える傾き防止部１７が備えられている。傾き防止部１７は、前面パネル２を押すことで面押しボタン１をスイッチ押圧部１２側に押して支持し、面押しボタン１が面押し部１１側に傾くのを防いでいる。
【００４１】
次に、面押し部１１とスイッチ押圧部１２との接合方法の詳細について説明する。図４は、面押し部１１の詳細を示す斜視図である。図４に示す面押し部１１は、係合爪１１ａと係合爪１１ｂとを有している。図５は、スイッチ押圧部１２を前面パネル２側から見たときの正面図である。図５に示すスイッチ押圧部１２は、前面パネル２側に、係合孔１２ａと係合孔１２ｂとを有している。
【００４２】
図６は、ＤＶＤレコーダの上部から見た、面押し部１１とスイッチ押圧部１２との接合方法の詳細を示す断面図である。図６に示すように、面押し部１１の係合爪１１ａがスイッチ押圧部１２の係合孔１２ａに係止され、面押し部１１の係合爪１１ｂがスイッチ押圧部１２の係合孔１２ｂに係止されることによって、面押し部１１とスイッチ押圧部１２との接合が行われる。
【００４３】
上記構成の面押しボタン１においては、面押し部１１とスイッチ押圧部１２との接合は、面押し部１１の係合爪１１ａがスイッチ押圧部１２の係合孔１２ａに係止され、面押し部１１の係合爪１１ｂがスイッチ押圧部１２の係合孔１２ｂに係止されることによってなされる。そのため、面押し部１１とスイッチ押圧部１２との接合において、溶着作業が不要となり、溶着作業によるコストの増加、取り付け不良の問題が解消される。
【００４４】
また、面押し部１１とスイッチ押圧部１２とが一体成型で作られていないので、製造工程の複雑化による不具合の発生頻度の向上、コストの増加、材料選択の自由度の低下の問題も生じない。そして、面押し部１１の破損などが生じた場合にも、面押し部１１だけを交換すればよく、交換作業も新しい面押し部１１の係合爪１１ａをスイッチ押圧部１２の係合孔１２ａに係止し、新しい面押し部１１の係合爪１１ｂをスイッチ押圧部１２の係合孔１２ｂに係止するだけであることから容易であり、コスト面の問題もない。以上より、取り付け不良などの不具合の発生が抑えられ、材料選択の自由度が高く、コストが抑えられる面押しボタン１が提供される。
【００４５】
特に、図３に示すような、巻き戻しボタン１ａと、再生（一時停止）ボタン１ｂと、停止ボタン１ｃと、早送りボタン１ｄとの支持部１３が一体化され、支持部１６を形成する構成とされている面押しボタン装置においては、面押し部１１とスイッチ押圧部１２とが一体成型で作られている場合にも、別部材であって、溶着することによって接合されている場合にも、ある１つの面押し部１１に不具合が生じただけで、面押しボタン装置全体を交換する必要があり、コスト面において大きな問題があった。
【００４６】
しかしながら、上記構成の面押しボタン１を用いて、面押し部１１とスイッチ押圧部１２との接合を、係合爪１１ａの係合孔１２ａへの係止、係合爪１１ｂの係合孔１２ｂへの係止によって行うこととすると、ある１つの面押し部１１の破損などが生じた場合にも、その面押し部１１だけを交換すればよく、交換作業も新しい面押し部１１の係合爪１１ａをスイッチ押圧部１２の係合孔１２ａに係止し、新しい面押し部１１の係合爪１１ｂをスイッチ押圧部１２の係合孔１２ｂに係止するだけであることから容易であり、面押しボタン装置全体の交換が必要であった従来と比べて、コスト面の問題が大きく改善される。以上より、取り付け不良などの不具合の発生が抑えられ、材料選択の自由度が高く、コストが抑えられる面押しボタン装置が提供される。
【００４７】
なお、本発明は上記の実施形態に限定されず、本発明の趣旨を逸脱しない範囲で種々の変更が可能である。例えば、本実施形態においては、面押しボタン装置は、巻き戻しボタン１ａと、再生（一時停止）ボタン１ｂと、停止ボタン１ｃと、早送りボタン１ｄとによって構成されていたが、更に多くのボタンの支持部１３を一体に形成した面押しボタン装置としてもよい。
【００４８】
また、上記の実施形態においては、面押しボタン１の前面への傾きを防止する方法については触れていないが、スイッチ押圧部１２のＬ字状の底板１２１の上端部に、前面パネル側に延びる、スイッチ押圧部１２と一体に形成されたリブを有し、このリブが前面パネル２の背面２０に接触することで、面押しボタン１の前面への傾きを防止する構成としてもよい。
【産業上の利用可能性】
【００４９】
本発明は、面押しボタン、面押しボタン装置及びこれらを備えた電子機器として有効である。
【図面の簡単な説明】
【００５０】
【図１】本発明の実施形態に係るＤＶＤレコーダを示す正面図である。
【図２】本発明の実施形態に係るＤＶＤレコーダを示す断面図である。
【図３】本発明の実施形態に係るＤＶＤレコーダにおいて、巻き戻しボタンと、再生（一時停止）ボタンと、停止ボタンと、早送りボタンとによって構成された面押しボタン装置を示す正面図である。
【図４】本発明の実施形態に係る面押し部の詳細を示す斜視図である。
【図５】本発明の実施形態に係るスイッチ押圧部を前面パネル側から見たときの正面図である。
【図６】本発明の実施形態に係るＤＶＤレコーダの上部から見た、面押し部とスイッチ押圧部との接合方法の詳細を示す断面図である。
【図７】従来のＤＶＤレコーダを示す断面図である。
【図８】従来のＤＶＤレコーダにおいて、巻き戻しボタンと、再生（一時停止）ボタンと、停止ボタンと、早送りボタンとによって構成された面押しボタン装置を示す正面図である。
【符号の説明】
【００５１】
１    面押しボタン
２    前面パネル
４    スイッチ
１１    面押し部
１1ａ    係合爪
１１ｂ    係合爪
１２    スイッチ押圧部
１２ａ    係合孔
１２ｂ    係合孔
１３    支持部
１４    ヒンジ
１６    支持部
２０    前面パネルの背面
２１    貫通孔
【図１】
2007294329.tif 000003
【図２】
2007294329.tif 000004
【図３】
2007294329.tif 000005
【図４】
2007294329.tif 000006
【図５】
2007294329.tif 000007
【図６】
2007294329.tif 000008
【図７】
2007294329.tif 000009
【図８】
2007294329.tif 000010